(57)【要約】      （修正有）【課題】漏れをモニタリングするためのインシステムセンサを備えた着脱可能な室内外用下着を有する新規の分泌物検出具を提供する。【解決手段】システムは以下の３つで構成される。第１は、下着の内側表面に組み込まれた、全体の状況をモニタリングし報告するために尿／血液／発汗／疾患による分泌物／失禁／糞便／母乳の量をモニタリングする新規の独特な着用可能な感応変換器である。第２は、重大な状況の発生前に認識させるための状況予測で、着用可能な変換器センサシステムから収集された情報を処理するアルゴリズムを介して取得されかつ実行される。第３は、対象者または監視者の情報と、その情報に関して推奨されるアドバイスを提供することができる対話式ユーザインタフェースユーティリティである。【選択図】図３
2019084316.tif 000002
【特許請求の範囲】
【請求項１】
ヒト（男性／女性）が抑制不能の尿／血／発汗／疾患による分泌物／失禁／便／母乳の漏れに晒されるかまたはそれらを被る可能性のある状況において感応型インシステムセンサ内蔵の着用可能な室内外下着の漏れのモニタリングのための検出具であって、現在の状況だけではなく、近い将来の状態に加えて重大な状況を回避および克服する方法についてのアドバイスにも関する対話式情報を提供する漏れ検出具。
【請求項２】
システムアーキテクチャであり、以下の５層を含み、第１の層は、低レベル変換器センサインタフェースであり、第２の層は、ノイズ低減フィルタを兼ねた現在の状態推定部であり、第３の層は、パターン認識および状況認識用の情報操作のための高レベルＡＩ  ＡＰＩであり、第４の層は、現在検出されている状況に関する対話式辞書解決ガイドであり、第５の層は、セキュリティ手段を兼ねた情報発信部である、請求項１を実現するためのシステムアーキテクチャ。
【請求項３】
分泌物の侵入を低減するために外面から被覆される請求項１に記載の着用可能な主プラットフォーム
【請求項４】
各々のモニタリングが必要であり、そのスポットに独自に明確に指定されたそれ自体の導電性変換器感応パターンを有するスポット。
【請求項５】
女性対象者の恥および不快を回避するために、女性の胸の谷間の分泌物とバスト下部の汗による分泌物をモニタリングする、発明者によって提供されるモニタリングシステム。
【請求項６】
対象者の身体の必要なモニタリングスポットに加えて、予測される漏れ率と、尿／血／発汗／疾患による分泌物／失禁／便／母乳の漏れなどの対象者の感知中の排出物の状況によって影響される請求項４に記載の変換器パターンデザイン。
【請求項７】
着用可能なシステム技術用に設計された耐久性のある導電性の布の断片糸を利用して導通される請求項４に記載の形成された変換器パターン。
【請求項８】
請求項７に記載の導電性材料基板上に、静電容量感知理論と開発段階で実行されたパターンの実験結果に従って形成および設計される請求項４に記載の形成された変換器パターン。
【請求項９】
低エネルギーセンサブルートゥースおよびユーザインタフェースユーティリティに機能が配分された図Ａ−Ａに示す発明者らのシステムアーキテクチャへの各種入力に収集される請求項４に記載のモニタリングされたスポットを分布ざせた変換器のパターンのフィードバック。
【発明の詳細な説明】
【技術分野】
【０００１】      尿／血液／発汗／疾患による分泌物／失禁／便／母乳などの吸収具様々な分泌物に使用される吸収具の効率が悪いために、漏れが原因となり、漏出物に触れたヒトの皮膚が損傷し有害な疾患にかかる恐れがある他、この状態が適切な時期に回復し重大な状況に至る前に予測しなければ、恥をかくことにもなりかねない。皮膚損傷および感染に加えて、様々なタイプの分泌物による臭いが放出され、ブラジャーが湿っている場合には、女性に不快感が生じる。
提案される本発明は、発明者が提案する感応システム変渙器の情報処理によって漏れを監視しかつ、状況認識と重大な状況を回避および克服する方法に関連した推奨される行動のアドバイスを提供するハイレベルな対話式情報に従って対応する内蔵型感応システムを導入することによって、身体の前面や後ろ面の部分（男性／女性に特有な部分）や乳首など、様々な尿／血液／発汗／疾患による分泌物／失禁／便／母乳の漏れが生じる恐れがある様々な人体の部分を含む非侵襲性室内外用下着を提供する。
提案される本発明の布片は、特定のパターン形態に配置されると各種の液体漏出物を感知することができる導電性材料と、２．４ＧＨｚの周波数でブルートゥース低エネルギーを介した高度でセキュリティ保護された通信プロトコルから成る。発明者らが提案したシステムは、日常使用のために耐久性がある上、宅内設備で洗浄可能である
【背景技術】
【０００２】発明者の知る限りでは、上記に提案されたことを容易に実行する室内外の道具はなかった。
但し、参照として、以下の文書を挙げる。
ヒトの日常活動、生活様式、加齢、病気、女性の生理より、人体の様々な部分から抑制可能または抑制不能な分泌物が排出され、適切な時期に回復させないと、皮膚に損傷が生じたり、恥をかいたりする可能性がある。
【発明の概要】
【発明が解決しようとする課題】本発明は、ユーザインタフェースユーティリティに接続された内蔵型感応システムを備えた着用可能な室内外用道具を介して様々なタイプの分泌物に沿って監視、予測および報告し対象者に対するアドバイスを提供することに関する。
分泌物に晒されているが適切な時期に漏出物を回収するための適切な健康管理を受けていなし場合、その対象者は、それによって恥をかき、臭いを放つことに加え、皮膚に損傷を受ける。
収補助具（ナプキン／タオル／おむつ）を頻繁に交換すると、犠牲にされる吸収補助具（ナプキン／タオル／おしめ）のコストが嵩むだけでなく、過剰な量の廃棄物が我々の環境に影響し、吸収補助具（ナプキン／タオル／おむつ）が再生可能な材料から形成される場合には、その洗濯費用も嵩む。
したがって、発明者らは、漏れをモニタリングためのインシステムセンサを備えた着脱可能な室内外用下着を有する新規の分泌物検出具を提案するが、これは、漏れを迅速に検出するものであり、回収すべき最適なタイミング内でモニタリングされたスポットに応じて推奨されるアドバイスに加えて、対象者に現在および近い将来の状態についての情報を提供することを目的とする。
【課題を解決するための手段】上記課題を解決するために、抑制不能な尿／血液／発汗／疾患による分泌物／失禁／便／母乳の漏れに晒され／それらを被る対象者をモニタリングするための請求項１に記載の本発明を提供し、低電力エネルギーブルートゥースは発明者の提案する感応システムに不随する。導電性材料から成るパターン感応変換器センサと人工知能アーキテクチャは、感応変換器出力信号を分析するために使用される
【発明の効果】抑制可能／抑制不能の尿／血液／発汗／疾患による分泌物／失禁／便／母乳の漏れに関する現在および近い将来の状態が様々なヒト−マシンインタフェースを介してモニタリングおよび報告されるので、対象者の状態全般の解釈に結論が出され、これによって、対象者の状態が最悪になることを防ぐために急速な回収を実行することができる他、皮膚の損傷、恥および悪臭を防止することができる。
現在および近い将来の状態が報告されるので、対象者は分泌源の状態を追跡し臨床試験に結論を下すことができる。
抑制可能／抑制不能の尿／血液／発汗／疾患による分泌物／失禁／便／母乳の漏れに関する現在および近い将来の状態がモニタリングおよび報告されるので、対象者は吸収補助具（ナプキン／タオル／おむつ）を交換することになるが、発明者は、これらの補助具は低い率で交換されることになる結果、吸収補助具（ナプキン／タオル／おむつ）のコストが低減すると推測する。
それに加えて、大量の廃棄物が我々の環境に影響する問題が生じる可能性はある。
洗浄費用は、特に吸収補助具（ナプキン／タオル／おむつ）が綿製である場合には、コストは低減される。
【図面の簡単な説明】
【図１】は感応変換器パターンの一例である。
【図２Ａ】は、本発明の機器を示す一実施例である。
【図２Ｂ】は、本発明の機器を示す一実施例である。
【図２Ｃ】は、本発明の機器を示す一実施例である。
【図３】において説明されたシステムアーキテクチャは、種々の操作／プロセスの段階で、提案されたソリューション例示の主要なコンポーネントを示す。
【発明を実施するための形態】
感応変換器パターンの一例が図Ａ−１に示されている。感応信号は、感応変換器から発生され、様々な分泌状況に応じて状況認識をする発明者のシステムアーキテクチャアルゴリズムに従って分析される。状況認識情報は、対象者に警告を与える一方、モニタリングされたスポットの状態および推奨される解決のためのアドバイスを報告する発明者の設計による対話式ユーザインタフェースユーティリティに表示される。
【実施例の効果】
発明者らが提供するユーザインタフェースユーティリティは、２．４ＧＨＺ  ＢＬＥ送信機を介して、発明者の提案したシステムに接続される。
発明者が提供するユーザインタフェースユーティリティは、周囲からプライバシーを保護するための警報振動システムの他、分泌漏出物の最新の状態および予測される状態に関する簡単な情報と推奨される解決策を対象者に警告および提供するために０．９６インチＬＣＤを介するヒト−マシン対話アプリケーションとを含む。
【図１】
2019084316.tif 000003
【図２Ａ】
2019084316.tif 000004
【図２Ｂ】
2019084316.tif 000005
【図２Ｃ】
2019084316.tif 000006
【図３】
2019084316.tif 000007